(57)【要約】【課題】わかりやすい報告書を容易に作成する、また、サーバの処理を容易にする。【解決手段】カメラ呼び出し手段３により、カメラＣ１が呼び出され、カメラＣ１により撮像された画像が画像記憶手段４に記憶される。リンク画像書き替え手段５により、コンテンツ記憶手段２に記憶されているコンテンツの画像を表示する部位に、撮像された画像をリンクさせるようコンテンツが書き替えられる。表示手段６により、リンク画像書き替え手段５によって書き替えられたコンテンツが画面上に表示させられる。挿入手段７により、書き替えられたコンテンツに、画像が文字情報として挿入される。転送手段８により、文字情報が埋め込まれたコンテンツが報告先に転送される。【選択図】図１
2009135736.tif 000002
【特許請求の範囲】
【請求項１】
作成したコンテンツを携帯端末装置に転送させるコンテンツ転送プログラムにおいて、
コンピュータを、
文字列を記載する部位と画像を表示する部位とが設けられた前記コンテンツを記憶するコンテンツ記憶手段、
前記画像を撮像するカメラを呼び出すカメラ呼び出し手段、
前記カメラにより撮像された前記画像を記憶する画像記憶手段、
前記コンテンツ記憶手段に記憶されている前記コンテンツの前記画像を表示する部位に、撮像された前記画像をリンクさせるよう前記コンテンツを書き替えるリンク画像書き替え手段、
前記リンク画像書き替え手段により書き替えられた前記コンテンツを表示させる表示手段、
書き替えられた前記コンテンツに前記画像を文字情報として挿入する挿入手段、
前記文字情報が埋め込まれた前記コンテンツを報告先に転送する転送手段、
として機能させることを特徴とするコンテンツ転送プログラム。
【請求項２】
前記画像を表示する部位には、暫定画像が表示されるようリンクが張られており、前記暫定画像が選択されると、前記カメラ呼び出し手段が前記カメラを呼び出すよう構成されていることを特徴とする請求項１記載のコンテンツ転送プログラム。
【請求項３】
前記コンピュータを、さらに、
予め用意されたフォーマット形式の前記コンテンツを格納するコンテンツ格納手段、
前記コンテンツ格納手段から取得した前記コンテンツのフォーマットに含まれるリンク先を、前記転送手段を経由してアクセスするように修正し、前記コンテンツ記憶手段に記憶する修正手段、
として機能させ、
前記転送手段は、所定の処理を前記コンテンツに施して前記報告先に転送することを特徴とする請求項１記載のコンテンツ転送プログラム。
【請求項４】
作成したコンテンツを携帯端末装置に転送させるコンテンツ転送方法において、
カメラ呼び出し手段が、画像を撮像するカメラを呼び出し、
前記カメラにより撮像された前記画像を画像記憶手段に記憶し、
リンク画像書き替え手段が、文字列を記載する部位と画像を表示する部位とが設けられた前記コンテンツを記憶するコンテンツ記憶手段に記憶されている前記コンテンツの前記画像を表示する部位に、撮像された前記画像をリンクさせるよう前記コンテンツを書き替え、
表示手段が、前記リンク画像書き替え手段により書き替えられた前記コンテンツを表示させ、
挿入手段が、書き替えられた前記コンテンツに前記画像を文字情報として挿入し、
転送手段が、前記文字情報が埋め込まれた前記コンテンツを報告先に転送する、
ことを特徴とするコンテンツ転送方法。
【請求項５】
作成したコンテンツを転送する携帯端末装置において、
文字列を記載する部位と画像を表示する部位とが設けられた前記コンテンツを記憶するコンテンツ記憶部と、
前記画像を撮像するカメラを呼び出すカメラ呼び出し部と、
前記カメラにより撮像された前記画像を記憶する画像記憶部と、
前記コンテンツ記憶部に記憶されている前記コンテンツの前記画像を表示する部位に、撮像された前記画像をリンクさせるよう前記コンテンツを書き替えるリンク画像書き替え部と、
前記リンク画像書き替え部により書き替えられた前記コンテンツを表示させる表示部と、
書き替えられた前記コンテンツに前記画像を文字情報として挿入する挿入部と、
前記文字情報が埋め込まれた前記コンテンツを報告先に転送する転送部と、
を有することを特徴とする携帯端末装置。
【発明の詳細な説明】
【技術分野】
【０００１】
本発明はコンテンツ転送プログラム、コンテンツ転送方法および携帯端末装置に関し、特に、作成したコンテンツを携帯端末装置に転送させるコンテンツ転送プログラム、コンテンツ転送方法および、作成したコンテンツを転送する携帯端末装置に関する。
【背景技術】
【０００２】
近年、携帯端末装置を用いてコンテンツ（業務報告や日報等）をサーバに送信するシステムが構築されている。携帯端末装置の高機能化に伴い、カメラを備えた携帯端末装置が増加している。そこで、このカメラを用いて、業務報告を、より分かりやすくするため等に、報告書に画像を同封して送信する技術が知られている（例えば、特許文献１参照）。
【特許文献１】特開２００７−１８４３８号公報
【発明の開示】
【発明が解決しようとする課題】
【０００３】
ブラウザの種別によっては、携帯端末装置が備えるカメラを直接起動するタグ（Ｔａｇ）がないマークアップ言語（例えばＨＴＭＬ等）にしか対応していない場合がある。このようなマークアップ言語を用いて報告書を作成する場合、従来は、ユーザが報告書作成時に、予め撮像しておいた画像を文書に添付してサーバに送信し、サーバ側が再構成して文書と画像とを関連づけていた。
【０００４】
しかしながら、画像が複数枚ある場合、報告書の受信側は、どの画像が、どの報告内容に対応しているのかがわかりづらいという問題があった。
本発明はこのような点に鑑みてなされたものであり、ブラウザやマークアップ言語の種別にかかわらず、わかりやすい報告書を容易に作成することができるコンテンツ転送プログラム、コンテンツ転送方法および携帯端末装置を提供することを目的とする。
【０００５】
また、他の目的として、サーバの処理を容易にすることができるコンテンツ転送プログラム、コンテンツ転送方法および携帯端末装置を提供することを目的とする。
【課題を解決するための手段】
【０００６】
上記目的を達成するために、作成したコンテンツを携帯端末装置に転送させるコンテンツ転送プログラムが提供される。このコンテンツ転送プログラムは、コンピュータを、文字列を記載する部位と画像を表示する部位とが設けられたコンテンツを記憶するコンテンツ記憶手段、画像を撮像するカメラを呼び出すカメラ呼び出し手段、カメラにより撮像された画像を記憶する画像記憶手段、コンテンツ記憶手段に記憶されているコンテンツの画像を表示する部位に、撮像された画像をリンクさせるようコンテンツを書き替えるリンク画像書き替え手段、リンク画像書き替え手段により書き替えられたコンテンツを表示させる表示手段、書き替えられたコンテンツに画像を文字情報として挿入する挿入手段、文字情報が埋め込まれたコンテンツを報告先に転送する転送手段、として機能させる。
【０００７】
このようなコンテンツ転送プログラムによれば、カメラ呼び出し手段により、カメラが呼び出され、カメラにより撮像された画像が画像記憶手段に記憶される。リンク画像書き替え手段により、コンテンツ記憶手段に記憶されているコンテンツの画像を表示する部位に、撮像された画像をリンクさせるようコンテンツが書き替えられる。表示手段により、リンク画像書き替え手段によって書き替えられたコンテンツが画面上に表示させられる。挿入手段により、書き替えられたコンテンツに、画像が文字情報として挿入される。転送手段により、文字情報が埋め込まれたコンテンツが報告先に転送される。
【発明の効果】
【０００８】
開示のコンテンツ転送プログラム、コンテンツ転送方法および携帯端末装置によれば、ブラウザやマークアップ言語の種別にかかわらず、文字列と画像とを一体的に表示させ、かつ、文字列と画像とを一体的に報告先に転送することができる。
【発明を実施するための最良の形態】
【０００９】
以下、本発明の実施の形態を、図面を参照して詳細に説明する。
まず、本発明の概要について説明し、その後、実施の形態を説明する。
図１は、本発明の概要を示す図である。
【００１０】
携帯端末装置に作成したコンテンツを転送させるコンテンツ転送プログラムは、携帯端末装置が備えるコンピュータ１を、コンテンツ記憶手段２、カメラ呼び出し手段３、画像記憶手段４、リンク画像書き替え手段５、表示手段６、挿入手段７および転送手段８として機能させる。
【００１１】
コンテンツ記憶手段２は、文字列（文書）を記載する部位と画像を表示する部位とが設けられたコンテンツを記憶する。ここでのコンテンツとは、ビジネスで利用される各種帳票・伝票類、営業報告文書、広報資料、プレゼンテーション資料等をいう。また、文字列を記載する部位には、コンテンツの日付、時間、行き先等が記載される。この記載（少なくとも日付、時間）は、コンテンツ記憶手段に記憶された時点に自動的に記載されるようになっていてもよいし、ユーザが必要に応じて読み出して記載するようにしてもよい。
【００１２】
カメラ呼び出し手段３は、画像を撮像するカメラＣ１を呼び出す。なお、カメラＣ１は、携帯端末装置が備える一機能である。
画像記憶手段４は、カメラＣ１により撮像された画像を記憶する。
【００１３】
リンク画像書き替え手段５は、コンテンツ記憶手段２に記憶されているコンテンツの画像を表示する部位に、撮像された画像をリンクさせるようコンテンツを書き替える。例えば、コンテンツをＨＴＭＬ等で作成した場合には、画像を表示する部位に撮像された画像をリンクさせるタグが存在しないので、リンク画像書き替え手段５はこれを補完する役目を果たしている。
【００１４】
表示手段６は、リンク画像書き替え手段５により書き替えられたコンテンツを携帯端末装置が備えるブラウザに表示させる。書き替えられたコンテンツの画像を表示する部位には、画像がリンクされているため、ブラウザには、文字列と画像（画像記憶手段４に記憶されている画像）とが一体的に表示される。
【００１５】
挿入手段７は、書き替えられたコンテンツに画像を文字情報として（エンコードして）挿入する。エンコード方式としては、例えばＢＡＳＥ６４等が挙げられる。
転送手段８は、文字情報が埋め込まれたコンテンツを報告先（例えばサーバ等）に転送する。
【００１６】
このようなコンテンツ転送プログラムによれば、カメラ呼び出し手段３により、カメラＣ１が呼び出され、カメラＣ１により撮像された画像が画像記憶手段４に記憶される。リンク画像書き替え手段５により、コンテンツ記憶手段２に記憶されているコンテンツの画像を表示する部位に、撮像された画像をリンクさせるようコンテンツが書き替えられる。表示手段６により、リンク画像書き替え手段５によって書き替えられたコンテンツが画面上に表示させられる。挿入手段７により、書き替えられたコンテンツに、画像が文字情報として挿入される。転送手段８により、文字情報が埋め込まれたコンテンツが報告先に転送される。
【００１７】
以下、本発明の実施の形態を説明する。
図２は、実施の形態のコンテンツ転送システムを示す図である。
コンテンツ転送システム３００は、複数の携帯端末装置１００、１００、・・・と、サーバ２００とを有している。
【００１８】
各携帯端末装置１００は、それぞれ、文書に画像が添付された報告書（コンテンツ）を作成し、作成した報告書をサーバ２００に転送する機能を有している。
サーバ２００は、業務サーバ、ＡＰサーバ等で構成されており、各携帯端末装置１００から転送される報告書を処理する機能を備えている。
【００１９】
以下、１つの携帯端末装置１００とサーバ２００との関係について説明する。
図３は、携帯端末装置のハードウェア構成例を示す図である。
携帯端末装置１００は、ＣＰＵ（Central Processing Unit）１０１によって装置全体が制御されている。ＣＰＵ１０１には、バス１０７を介してＲＡＭ（Random Access Memory）１０２、メモリ１０３、グラフィック処理装置１０４、入力インタフェース１０５、および通信インタフェース１０６が接続されている。
【００２０】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。メモリ１０３には、ＯＳやアプリケーションプログラムが格納される。また、メモリ１０３内には、プログラムファイルが格納される。
【００２１】
グラフィック処理装置１０４には、モニタ１０４ａおよびカメラ１０４ｂが接続されている。カメラ１０４ｂは、主としてレンズ、イメージセンサおよび信号処理用ＤＳＰ等を有している。グラフィック処理装置１０４は、ＣＰＵ１０１からの命令に従って、カメラ１０４ｂが撮像した画像等をモニタ１０４ａの画面に表示させる。入力インタフェース１０５には、テンキー等を備える入力部１０５ａが接続されている。入力インタフェース１０５は、入力部１０５ａから送られてくる信号を、バス１０７を介してＣＰＵ１０１に送信する。
【００２２】
通信インタフェース１０６は、無線ネットワーク１０に接続されている。通信インタフェース１０６は、無線ネットワーク１０を介して、サーバ２００との間でデータの送受信を行う。
【００２３】
以上のようなハードウェア構成によって、本実施の形態の処理機能を実現することができる。このようなハードウェア構成の携帯端末装置１００において報告書作成業務を行うために、携帯端末装置１００内には、以下のような機能が設けられる。
【００２４】
図４は、携帯端末装置の機能を示すブロック図である。
携帯端末装置１００は、携帯端末用ＯＳ１１０と、Ｗｅｂブラウザ１２０と、ゲートウェイ１３０と、コンテンツ管理部１４０と、コンテンツ退避部１５０と、画像記憶部１６０と、コンテンツ格納部１７０と、ＤＢアクセス用ＤＬＬ１８０と、ＤＢ１９０とを有している。
【００２５】
携帯端末用ＯＳ１１０は、カメラＡＰＩ（Application Program Interface）１１１を有しており、カメラ制御ができるＧＵＩ（Graphical User Interface）をアプリケーションに提供する。
【００２６】
携帯端末用ＯＳ１１０としては特に限定されないが、例えばＷｉｎｄｏｗｓモバイル（登録商標）等が挙げられる。
Ｗｅｂブラウザ１２０は、ユーザの操作に応じて携帯端末装置１００内や無線ネットワーク１０を介してサーバ２００等から所望の文書ファイル、画像ファイル、音声ファイル等をダウンロードし、レイアウトを解析して表示・再生する。また、報告書作成業務を行う場合、例えば、コンテンツ格納部１７０に対するアクセス要求があれば、報告書の格納場所のパス（例えばhttp://localhost/***/top.html等）を指定する。
【００２７】
Ｗｅｂブラウザ１２０としては、特に限定されないが、例えば、インターネットエクスプローラー（登録商標）や、Ｏｐｅｒａ（登録商標）等が挙げられる。
ゲートウェイ１３０は、Ｗｅｂブラウザ１２０とコンテンツ管理部１４０との間およびコンテンツ管理部１４０とコンテンツ格納部１７０との間のデータを相互に変換してやりとりを可能にする。
【００２８】
コンテンツ管理部１４０は、後述するＷｅｂブラウザ１２０のコンテンツ表示要求に応じて報告書をコンテンツ格納部１７０から読み込んで所定の処理を施し、この報告書をコンテンツ退避部１５０に退避させるとともにＷｅｂブラウザ１２０に表示させる。
【００２９】
また、コンテンツ管理部１４０は、報告書に添付する画像の撮像要求に応じてカメラＡＰＩ１１１を呼び出して画像を撮像する。そして、コンテンツ退避部１５０に退避させた報告書を読み込んで所定の処理を施し、報告書の文書と画像とを一体的にＷｅｂブラウザ１２０に表示させる。
【００３０】
また、コンテンツ管理部１４０は、報告書の転送要求に応じてコンテンツ退避部１５０に退避させた報告書を読み出し、所定の処理を施した後に、サーバ２００に転送する。
なお、これら所定の処理の各処理内容については後に詳述する。
【００３１】
コンテンツ退避部１５０は、コンテンツ管理部１４０が退避させた報告書を一時保管する。
画像記憶部１６０は、カメラ１０４ｂが撮像した画像を記憶する。
【００３２】
コンテンツ格納部１７０には、報告書を作成する際に呼び出される報告書が暗号化されて格納されている。この報告書は、ＨＴＭＬ形式のテンプレートで作成されている。
ＤＢアクセス用ＤＬＬ１８０は、携帯端末用ＯＳ１１０が備えるＤＬＬであり、コンテンツ管理部１４０がＤＢ１９０にアクセスする際に呼び出す。
【００３３】
ＤＢ１９０には、業務を行う際に必要な各種データ等が格納されている。
次に、携帯端末装置１００を用いて報告書を作成するときの処理について説明する。
図５は、モニタに表示された待ち受け画面を示す図である。
【００３４】
モニタ１０４ａの待ち受け画面１１０ａには、アイコンｉ１が表示されている。ユーザにより、入力部１０５ａが操作され、アイコンｉ１が選択されることにより、報告書の作成が開始される。
【００３５】
図６は、報告書を作成するときの処理を示すシーケンス図である。
まず、待ち受け画面１１０ａ上に表示されたアイコンｉ１がユーザによって選択されると、Ｗｅｂブラウザ１２０が、コンテンツ表示要求をコンテンツ管理部１４０に出力する（ステップＳ１）。なお、アイコンｉ１が選択されたときに、正当なユーザからのアクセスか、を認証する認証処理を実行し、認証した後にコンテンツ表示要求をコンテンツ管理部１４０に出力するようにしてもよい。
【００３６】
コンテンツ管理部１４０は、コンテンツ格納部１７０に格納されている暗号化された報告書を読み込む（ステップＳ２）。そして、読み込んだ報告書を復号し、復号した報告書のテンプレート内のリンクを修正して、修正した報告書をコンテンツ退避部１５０に保存する（ステップＳ３）。
【００３７】
図７は、リンクの修正を説明する図であり、図７（ａ）は、コンテンツ格納部が復号したテンプレートの一部を示す図であり、図７（ｂ）は、コンテンツ管理部がリンクを修正したテンプレートの一部を示す図である。
【００３８】
コンテンツ管理部１４０は、図７（ａ）に示すテンプレートＴ１に含まれるリンク先を指定する全ての部位のＵＲＬおよびアンカーを、図７（ｂ）に示すテンプレートＴ２の下線部に示すように、コンテンツ管理部１４０を経由するように修正する。
【００３９】
具体的には、テンプレートＴ２の２行目（下線部）の「＜ｆｏｒｍ  ｎａｍｅ＝”ＣＨＥＣＫ”  ａｃｔｉｏｎ＝”ｈｔｔｐ：／／１９２．１６８．１．３／ｆａｓｔ／ｒｅｓｕｌｔ．ｄｏ”＞」のａｃｔｉｏｎの後に、「”ｍ２？ａｃｔｉｏｎ＝」を挿入することで、（後述する登録ボタンが選択されたときに直接サーバ２００に報告書が転送されることなく）コンテンツ管理部１４０を経由して、サーバ２００に報告書が転送されるように修正する。
【００４０】
再び図６に戻って説明する。
また、コンテンツ管理部１４０は、報告書の内容を選択、決定するためのボタンを含む画像入力画面をＷｅｂブラウザ１２０上に出力する（ステップＳ４）。
【００４１】
図８は、モニタに表示された画像入力画面を示す図である。
画像入力画面１１には、報告書１２と、登録ボタン１３と、メニューボタン１４と、戻るボタン１５とが表示されている。
【００４２】
報告書１２には、日付、時間、行き先、写真１、写真２の項目が設けられている。なお、写真２の項目は１画面内におさまらないため、図８には図示していない。写真２の項目は、入力部１０５ａの操作により報告書１２の画面をスクロールさせること等により、モニタ１０４ａに表示させることができる。
【００４３】
日付、時間、行き先の項目の下部には、それぞれコンテンツ管理部１４０がＤＢ１９０等から取得した値が設定されている。また、写真１の項目の下部には、表示枠１２１が設けられており、その表示枠１２１内にリンク（＜ｈｒｅｆ＝ｍ２？ｃａｍｅｒａ１＞）が付されたイメージ画像（ｃａｍｅｒａ１．ｇｉｆ）ｉｍａｇｅ１が表示されている。
【００４４】
また、図示していないが、写真２の項目の下部にも表示枠が設けられており、その表示枠内にリンク（＜ｈｒｅｆ＝ｍ２？ｃａｍｅｒａ２＞）が付されたイメージ画像（ｃａｍｅｒａ２．ｇｉｆ）が表示されている。
【００４５】
なお、図８には図示していないが、報告書１２には、目的、コメント等を入力できる部分が設けられていてもよい。
登録ボタン１３が選択されると、コンテンツ（項目内容および写真１の内容）がサーバに送信される。
【００４６】
メニューボタン１４が選択されると、後述するメニュー画面に移行する。
戻るボタン１５が選択されると、１画面前の画面を表示する。
再び図６に戻って説明する。
【００４７】
写真１のイメージ画像ｉｍａｇｅ１が選択（クリック）されるとイベントが発生し、Ｗｅｂブラウザ１２０がコンテンツ管理部１４０にリンク要求を出力する（ステップＳ５）。コンテンツ管理部１４０は、リンク要求を受け取ると、カメラＡＰＩ１１１を呼び出す（ステップＳ６）。カメラＡＰＩ１１１が起動し、モニタ１０４ａにはカメラ１０４ｂのイメージセンサに映った画像が表示される。
【００４８】
ユーザの入力部１０５ａの操作によって画像が撮像されると、カメラＡＰＩ１１１は、撮像したｊｐｅｇ画像（ｃａｍｅｒａ１．ｊｐｇ）を画像記憶部１６０に保存し（ステップＳ７）、ｊｐｅｇ画像の記憶場所の情報をコンテンツ管理部１４０に送る（ステップＳ８）。
【００４９】
コンテンツ管理部１４０は、ｊｐｅｇ画像の記憶場所の情報を頼りに、撮像したｊｐｅｇ画像をイメージ画像ｉｍａｇｅ１の代わりに写真１の表示枠１２１内に表示（インライン表示）させるようコンテンツ退避部１５０に保存している報告書のテンプレートのリンク先を修正する（ステップＳ９）。
【００５０】
ところで、単にリンク先を修正してｊｐｅｇ画像をインライン表示させただけでは、テンプレート内にはｊｐｅｇ画像が存在せず、このまま報告書を転送してもｊｐｅｇ画像はサーバ２００には送られない。そこで、ｊｐｅｇ画像をテンプレートに含ませて送信するためのｈｉｄｄｅｎ設定を行う（ステップＳ９）。以下、具体例を用いて説明する。
【００５１】
図９は、リンク修正およびｈｉｄｄｅｎ設定を示す図である。
コンテンツ管理部１４０は、表示枠１２１内に表示させる画像を「ｃａｍｅｒａ１．ｇｉｆ」から「ｃａｍｅｒａ１．ｊｐｇ」になるように修正する。また、不可視フィールドのｖａｌｕｅ属性に、ｃａｍｅｒａ１．ｊｐｇの内容をｂａｓｅ６４化した情報（“Ｂｇ７ｓｓ８８８・・・ｊｋｓｓａａａ”）を加える。このようにしてテンプレートＴ２に修正を施したテンプレートＴ３をコンテンツ退避部１５０に記憶する。
【００５２】
再び図６に戻って説明する。
その後、コンテンツ管理部１４０は、報告書を再表示する（ステップＳ１０）。
図１０は、再表示された画像入力画面を示す図である。
【００５３】
表示枠１２１内には、ｃａｍｅｒａ１．ｊｐｇの一例として商品の棚割（商品の種類と商品の配置）を示す画像が表示されている。
再び図６に戻って説明する。
【００５４】
その後、ユーザの入力部１０５ａの操作によって写真２のイメージ画像が選択（クリック）されるとイベントが発生し、前述したステップＳ５〜ステップＳ１０の動作が実行される。すなわち、ｊｐｅｇ画像（ｃａｍｅｒａ２．ｊｐｇ）が撮像され、リンク修正およびｈｉｄｄｅｎ設定が実行される。
【００５５】
その後、ユーザの入力部１０５ａの操作によって登録ボタン１３が選択されると、Ｗｅｂブラウザ１２０は、報告書の転送要求をコンテンツ管理部１４０に出力する（ステップＳ１１）。コンテンツ管理部１４０は、報告書をＡＥＳ（Advanced Encryption Standard）暗号化し（ステップＳ１２）、サーバ２００に転送する。
【００５６】
サーバ２００は、報告書の不可視フィールドからｃａｍｅｒａ１．ｊｐｇおよびｃａｍｅｒａ２．ｊｐｇに対応する画像情報を読み出す（ステップＳ１３）。
次に、メニューボタン１４が選択されたときの処理を説明する。
【００５７】
図１１は、メニューボタンが選択されたときの画面を示す図である。
メニュー画面２１には、メニューボタン１４および戻るボタン１５に加え、メニュー選択部２２が表示されている。
【００５８】
メニュー選択部２２には、表題（メニュー）と、リンクが張られた選択部２３ａ（１．終了）と、選択部２３ｂ（２．パスワード変更）とが設けられている。
ユーザの入力部１０５ａの操作によって選択部２３ａが選択されると、報告書の作成を終了する。選択部２３ｂが選択されると、認証用のパスワードを変更するためのパスワード変更画面（図示せず）に移行する。
【００５９】
以上述べたように、本実施の形態のコンテンツ転送システム３００によれば、コンテンツ管理部１４０が、撮像したｊｐｅｇ画像をイメージ画像ｉｍａｇｅ１の代わりに写真１の表示枠１２１内に表示させるようコンテンツ退避部１５０に保存している報告書のテンプレートのリンク先を修正するようにしたので、カメラ１０４ｂを直接起動するタグ（Ｔａｇ）がないマークアップ言語を用いた場合でも、あたかも画像入力ができているように撮像したｊｐｅｇ画像をＷｅｂブラウザ１２０上に表示させることができる。従って、ブラウザやマークアップ言語の種別にかかわらず、文書とｊｐｅｇ画像とを一体的に表示させることができる。
【００６０】
また、ｊｐｅｇ画像を報告書に含ませて送信するためのｈｉｄｄｅｎ設定を行うようにしたので、文書に画像（の情報）が添付された報告書を一体でサーバ２００に送信することができる。従ってサーバ２００は、報告書を容易に管理できる。
【００６１】
また、コンテンツ管理部１４０が、図７（ａ）に示すテンプレートＴ１に含まれるリンク先を指定する全ての部位のＵＲＬおよびアンカーを、コンテンツ管理部１４０を経由するように修正するようにしたので、コンテンツ管理部１４０は、対象ＵＲＬへの転送前に種々の処理（例えば前述したＡＥＳ暗号化）を施すことができる。
【００６２】
また、文書を表示する部位と画像を表示する部位とが予め定められているので、送りたい画像が複数存在しても、対比する文書と画像とをユーザが容易に判別することができる。
【００６３】
以上、本発明のコンテンツ転送プログラム、コンテンツ転送方法および携帯端末装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００６４】
また、本発明は、前述した実施の形態のうちの、任意の２以上の構成（特徴）を組み合わせたものであってもよい。
なお、本実施の形態では、文書に添付する情報として画像を用いる場合について説明したが、本発明はこれに限定されず、例えば、音声にも適用することができる。
【００６５】
また、本実施の形態では、報告書を作成する場合を例にとって説明したが、本発明はこれに限定されない。
なお、上記の処理機能は、コンピュータによって実現することができる。その場合、携帯端末装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等が挙げられる。磁気記録装置としては、例えば、ハードディスク装置（ＨＤＤ）、フレキシブルディスク（ＦＤ）、磁気テープ等が挙げられる。光ディスクとしては、例えば、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【００６６】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００６７】
コンテンツ転送プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００６８】
以上の実施形態に関し、更に以下の付記を開示する。
（付記１）  作成したコンテンツを携帯端末装置に転送させるコンテンツ転送プログラムにおいて、
コンピュータを、
文字列を記載する部位と画像を表示する部位とが設けられた前記コンテンツを記憶するコンテンツ記憶手段、
前記画像を撮像するカメラを呼び出すカメラ呼び出し手段、
前記カメラにより撮像された前記画像を記憶する画像記憶手段、
前記コンテンツ記憶手段に記憶されている前記コンテンツの前記画像を表示する部位に、撮像された前記画像をリンクさせるよう前記コンテンツを書き替えるリンク画像書き替え手段、
前記リンク画像書き替え手段により書き替えられた前記コンテンツを表示させる表示手段、
書き替えられた前記コンテンツに前記画像を文字情報として挿入する挿入手段、
前記文字情報が埋め込まれた前記コンテンツを報告先に転送する転送手段、
として機能させることを特徴とするコンテンツ転送プログラム。
【００６９】
（付記２）  前記画像を表示する部位には、暫定画像が表示されるようリンクが張られており、前記暫定画像が選択されると、前記カメラ呼び出し手段が前記カメラを呼び出すよう構成されていることを特徴とする付記１記載のコンテンツ転送プログラム。
【００７０】
（付記３）  前記コンピュータを、さらに、
予め用意されたフォーマット形式の前記コンテンツを格納するコンテンツ格納手段、
前記コンテンツ格納手段から取得した前記コンテンツのフォーマットに含まれるリンク先を、前記転送手段を経由してアクセスするように修正し、前記コンテンツ記憶手段に記憶する修正手段、
として機能させ、
前記転送手段は、所定の処理を前記コンテンツに施して前記報告先に転送することを特徴とする付記１記載のコンテンツ転送プログラム。
【００７１】
（付記４）  前記所定の処理は暗号化処理であることを特徴とする付記３記載のコンテンツ転送プログラム。
（付記５）  前記修正手段は、前記コンテンツのフォーマットに含まれる全ての前記リンク先を修正することを特徴とする付記３記載のコンテンツ転送プログラム。
【００７２】
（付記６）  前記修正手段は、前記コンテンツをブラウザ上に開示させる要求を受けて動作することを特徴とする付記３記載のコンテンツ転送プログラム。
（付記７）  前記テンプレートには、前記文字列を記載する部位１箇所に対し、画像を表示する部位が複数箇所設けられていることを特徴とする付記１記載のコンテンツ転送プログラム。
【００７３】
（付記８）  前記コンテンツはＨＴＭＬ形式で作成されており、
前記挿入手段は、前記文字情報を隠しタグで挿入することを特徴とする付記１記載のコンテンツ転送プログラム。
【００７４】
（付記９）  前記報告先は、前記コンテンツの前記画像を表示する部位に表示させる画像を前記文字情報から読み込むことを特徴とする付記１記載のコンテンツ転送プログラム。
【００７５】
（付記１０）  前記リンク画像書き替え手段と前記挿入手段とは同時に動作することを特徴とする付記１記載のコンテンツ転送プログラム。
（付記１１）  前記文字列は、前記テンプレートが呼び出されたときの日付および時間を含むことを特徴とする付記１記載のコンテンツ転送プログラム。
【００７６】
（付記１２）  作成したコンテンツを携帯端末装置に転送させるコンテンツ転送方法において、
カメラ呼び出し手段が、画像を撮像するカメラを呼び出し、
前記カメラにより撮像された前記画像を画像記憶手段に記憶し、
リンク画像書き替え手段が、文字列を記載する部位と画像を表示する部位とが設けられた前記コンテンツを記憶するコンテンツ記憶手段に記憶されている前記コンテンツの前記画像を表示する部位に、撮像された前記画像をリンクさせるよう前記コンテンツを書き替え、
表示手段が、前記リンク画像書き替え手段により書き替えられた前記コンテンツを表示させ、
挿入手段が、書き替えられた前記コンテンツに前記画像を文字情報として挿入し、
転送手段が、前記文字情報が埋め込まれた前記コンテンツを報告先に転送する、
ことを特徴とするコンテンツ転送方法。
【００７７】
（付記１３）  作成したコンテンツを転送する携帯端末装置において、
文字列を記載する部位と画像を表示する部位とが設けられた前記コンテンツを記憶するコンテンツ記憶部と、
前記画像を撮像するカメラを呼び出すカメラ呼び出し部と、
前記カメラにより撮像された前記画像を記憶する画像記憶部と、
前記コンテンツ記憶部に記憶されている前記コンテンツの前記画像を表示する部位に、撮像された前記画像をリンクさせるよう前記コンテンツを書き替えるリンク画像書き替え部と、
前記リンク画像書き替え部により書き替えられた前記コンテンツを表示させる表示部と、
書き替えられた前記コンテンツに前記画像を文字情報として挿入する挿入部と、
前記文字情報が埋め込まれた前記コンテンツを報告先に転送する転送部と、
を有することを特徴とする携帯端末装置。
【図面の簡単な説明】
【００７８】
【図１】本発明の概要を示す図である。
【図２】実施の形態のコンテンツ転送システムを示す図である。
【図３】携帯端末装置のハードウェア構成例を示す図である。
【図４】携帯端末装置の機能を示すブロック図である。
【図５】モニタに表示された待ち受け画面を示す図である。
【図６】報告書を作成するときの処理を示すシーケンス図である。
【図７】リンクの修正を説明する図である。
【図８】モニタに表示された画像入力画面を示す図である。
【図９】リンク修正およびｈｉｄｄｅｎ設定を示す図である。
【図１０】再表示された画像入力画面を示す図である。
【図１１】メニューボタンが選択されたときの画面を示す図である。
【符号の説明】
【００７９】
１  コンピュータ
２  コンテンツ記憶手段
３  カメラ呼び出し手段
４  画像記憶手段
５  リンク画像書き替え手段
６  表示手段
７  挿入手段
８  転送手段
１１  画像入力画面
１２  報告書
１３  登録ボタン
１４  メニューボタン
１５  戻るボタン
２１  メニュー画面
２２  メニュー選択部
２３ａ、２３ｂ  選択部
１００  携帯端末装置
１１０  携帯端末用ＯＳ
１１０ａ  待ち受け画面
１１１  カメラＡＰＩ
１２０  Ｗｅｂブラウザ
１２１  表示枠
１３０  ゲートウェイ
１４０  コンテンツ管理部
１５０  コンテンツ退避部
１６０  画像記憶部
１７０  コンテンツ格納部
１８０  ＤＢアクセス用ＤＬＬ
１９０  ＤＢ
２００  サーバ
３００  コンテンツ転送システム
ｉ１  アイコン
ｉｍａｇｅ１  イメージ画像
Ｔ１〜Ｔ３  テンプレート
【図１】
2009135736.tif 000003
【図２】
2009135736.tif 000004
【図３】
2009135736.tif 000005
【図４】
2009135736.tif 000006
【図５】
2009135736.tif 000007
【図６】
2009135736.tif 000008
【図７】
2009135736.tif 000009
【図８】
2009135736.tif 000010
【図９】
2009135736.tif 000011
【図１０】
2009135736.tif 000012
【図１１】
2009135736.tif 000013